(57)【要約】【解決手段】可動家具部（３）を移動させるための作動用駆動装置（５）であって、可動家具部（３）を移動させるために可動状態に取り付けられた少なくとも１つの作動部材（７）と、作動部材（７）に力を作用させるためのバネ装置（１１）と、作動部材（７）に作用するバネ装置（１１）の力の調節を可能にする調節装置（１３）とを含んでおり、調節装置（１３）は、ネジ部（１７）を備えた調節ネジ（１６）を有しており、作動部材（７）に作用するバネ装置（１１）の力は、ネジ部（１７）に沿って移動可能に取り付けられたネジナット（１２）によって調節が可能であり、少なくとも１つのバネ要素（２６）が利用されており、それによって、調節ネジ（１６）の少なくとも１つの端領域でネジナット（１２）に端領域から離れる方向の力を作用させることができる。【選択図】図３
2016507017.tif 000002
【特許請求の範囲】
【請求項１】
可動家具部（３）を移動させるための作動用駆動装置（５）であって、
可動家具部（３）を移動させるために可動に取り付けられた少なくとも１つの作動部材（７）と、
該作動部材（７）に力を作用させるためのバネ装置（１１）と、
該作動部材（７）に作用する前記バネ装置（１１）の力の調節を可能にする調節装置（１３）と、
を含んでおり、
前記調節装置（１３）は、ネジ部（１７）を備える調節ネジ（１６）を有しており、前記作動部材（７）に作用する前記バネ装置（１１）の力は、前記ネジ部（１７）に沿って移動可能に取り付けられたネジナット（１２）によって調節が可能であり、
少なくとも１つのバネ要素（２６）が利用されており、それによって、前記調節ネジ（１６）の少なくとも１つの端領域で前記ネジナット（１２）に該端領域から離れる方向の力を作用させることができることを特徴とする作動用駆動装置。
【請求項２】
前記調節ネジ（１６）の前記少なくとも１つの端領域には、前記バネ要素（２６）を支持することができるアバットメント面（３７）が提供されていることを特徴とする、請求項１記載の作動用駆動装置。
【請求項３】
前記アバットメント面（３７）は前記調節ネジ（１６）のネジ頭部によって形成されていることを特徴とする、請求項２記載の作動用駆動装置。
【請求項４】
前記バネ要素（２６）は前記ネジナット（１２）とは分離した構成部材の形態であることを特徴とする、請求項１から３のいずれかに記載の作動用駆動装置。
【請求項５】
少なくとも１つの端領域で前記調節ネジ（１６）は無ネジ部（２５）を有しており、前記ネジナット（１２）は該無ネジ部（２５）内に進入することができ、前記調節ネジ（１６）の前記ネジ部（１７）との係合状態から脱却できることを特徴とする、請求項１から４のいずれかに記載の作動用駆動装置。
【請求項６】
前記バネ要素（２６）は、好適には弓形状にプレストレスされている板バネの形態であることを特徴とする、請求項１から５のいずれかに記載の作動用駆動装置。
【請求項７】
前記作動部材（７）に作用する前記バネ装置（１１）は前記ネジナット（１２）に当接支受されることを特徴とする、請求項１から６のいずれかに記載の作動用駆動装置。
【請求項８】
前記作動部材（７）に作用する前記バネ装置（１１）は少なくとも１つのコイルバネを有していることを特徴とする、請求項１から７のいずれかに記載の作動用駆動装置。
【請求項９】
前記作動部材（７）は回転軸（１０）の周囲で旋回的に取り付けられた作動アーム（９）の形態であることを特徴とする、請求項１から８のいずれかに記載の作動用駆動装置。
【請求項１０】
前記作動アーム（９）は、前記バネ装置（１１）によって加圧される圧力ローラ（１９）が沿って走行する制御カム（２０）を介して旋回できることを特徴とする、請求項９記載の作動用駆動装置。
【請求項１１】
前記制御カム（２０）は前記作動アーム（９）上に配置あるいは形成され、該制御カム（２０）は該作動アーム（９）の回転軸（１０）に対して変動する放射状空間を提供することを特徴とする、請求項１０記載の作動用駆動装置。
【請求項１２】
工具のための受領手段（１５）を備えた調節ホイール（１４）が利用され、該調節ホイール（１４）は伝達機構を介して前記調節ネジ（１６）と共働し、該調節ネジ（１６）は前記工具によって実行される該調節ホイール（１４）の回転移動によって回転可能であることを特徴とする、請求項１から１１のいずれかに記載の作動用駆動装置。
【請求項１３】
前記調節ホイール（１４）は回転軸の周囲で回転的に取り付けられており、該調節ホイール（１４）の該回転軸の方向は前記調節ネジ（１６）の長手軸に対して横断的に、好適には略直角に延伸していることを特徴とする、請求項１２記載の作動用駆動装置。
【請求項１４】
本作動用駆動装置（５）は家具筐体（２）に固定されるハウジング（６）を有しており、使用位置で前記作動部材（７）は一方側で該家具筐体（２）に旋回的に接続され、他方側で前記可動家具部（３）に接続されていることを特徴とする、請求項１から１３のいずれかに記載の作動用駆動装置。
【請求項１５】
家具筐体（２）と、該家具筐体（２）に対して可動であるフラップ扉（４）とを有した家具（１）であって、前記フラップ扉（４）は、請求項１から１４のいずれかに記載の作動用駆動装置（５）により可動に取り付けられていることを特徴とする家具。
【発明の詳細な説明】
【技術分野】
【０００１】
本発明は可動家具部を移動させる作動用駆動装置に関し、その作動用駆動装置は、
可動家具部を移動させるために可動状態に取り付けられた少なくとも１つの作動部材と、
作動部材に力を作用させるためのバネ装置と、
作動部材に作用するバネ装置の力の調節を可能にする調節装置と、
を含んでおり、
調節装置は、ネジ部を有した調節ネジを有しており、作動部材に作用するバネ装置の力は、ネジ部に沿って移動可能に取り付けられたネジナットによって調節が可能である。
【０００２】
本発明はさらに、家具筐体と、家具筐体に対して可動であるフラップ扉（上下開閉扉）とを有した家具にも関し、このフラップ扉は、以下で説明する種類の作動用駆動装置によって動作するように取り付けられている。
【背景技術】
【０００３】
フラップ扉の支持部の形態である作動用駆動装置は、例えば、特許文献１において説明されている。そのフラップ扉の支持部はヒンジ的（蝶番的）に相互接続されている２本のアーム部（腕部）を含んでおり、フラップ扉側のアーム部は開方向に作用する圧縮バネの力を受ける。フラップ扉に作用する力を調節するため、ネジ型ボルトと、そのネジ型ボルトとネジ的に係合（螺合）するネジ型ナットとを含んだ調節装置が活用される。
【０００４】
調節ネジと、その上に取り付けられたネジナットとを備えた調節装置は、調節ネジの回転で、ネジナットが端位置（すなわちネジ頭部の下側に形成されている環状平面）に到達するとネジナットがネジ頭部に対して動作不能になる（ジャミング現象）という問題に頻繁に遭遇する。ネジナットとネジ頭部との間にそのようなジャミング現象が発生すると、そのジャミング現象は手動により大きな力を適用することによってのみ解除ができる。さらに、ネジナットをバネ装置のための支持手段として機能させるためには、そのように発生したジャミング現象を解除する目的でバネ装置の力も克服しなければならない。一方、ネジナットが調節ネジの自由端領域に移動すると、ネジナットと調節ネジとの間のネジ係合（螺合）の解除が起こり得る。よって調節装置の機能は保証できなくなるであろう。
【先行技術文献】
【特許文献】
【０００５】
【特許文献１】独国特許出願公開第１００１９３３７号明細書
【発明の概要】
【発明が解決しようとする課題】
【０００６】
よって、本発明の目的は、上述の弱点を回避しつつ、本明細書の初頭で述べた汎用種の作動用駆動装置を提供することである。
【課題を解決するための手段】
【０００７】
本発明によれば、その目的は請求項１の特徴により達成される。本発明のさらなる有利な形態は従属請求項において記載されている。
【０００８】
本発明によれば、調節ネジの少なくとも１つの端領域においてネジナットをその端領域から離れる方向に作用する力で動作させることができる少なくとも１つのバネ要素が利用される。
【０００９】
言い換えれば、バネ装置とは分離しており、調節ネジの端領域に到達すると調節ネジの反対側端領域の方向にネジナットを付勢する少なくとも１つのバネ要素が利用される。このようにして、ネジ頭部とのネジナットのジャミング現象を効果的に防止することができ、さらに必要であれば、調節ネジの自由端にてネジ部からのネジナットの離脱を防止することができるバネ要素を利用することも可能である。
【００１０】
バネ要素のための支持手段を提供するために、調節ネジの少なくとも一端領域にバネ要素を支持できるアバットメント面（abutment surface，当接面）が提供できる。このアバットメント面は調節ネジのネジ頭部（特にネジ頭部の下方に形成されている環状平面）によって形成できる。
【００１１】
本発明の一実施形態によれば、バネ要素はネジナットとは別な構成部材の形態である。この場合には、バネ要素はコイルバネ、または好適には弓形状にプレストレス（予め応力が付勢）されている板バネの形態でよい。バネ要素をバネ頭部に接続するか、あるいはバネ頭部と一体的に形成（例えば樹脂成型）することも可能である。
【００１２】
作動部材に作用するバネ装置は、好適には直接的にネジナットに当接できるが、バネ装置をネジナットに対して間接的に作用させる（例えば少なくとも１つの中間レバー等を介して）ことも可能である。
【００１３】
本発明の可能な一実施形態では、作動部材は回転軸の周囲で旋回するように取り付けられた作動アームの形態である。しかしながら、作動部材を、例えばバネ装置を収容するハウジングに対して移動可能に取り付けることが可能なピストンロッドの形態で直線移動できるように取り付けることも可能である。
【００１４】
本発明のさらなる詳細および利点は図面に示す例示としての実施例から明確になるであろう。
【図面の簡単な説明】
【００１５】
【図１ａ】図１ａと図１ｂは、それぞれ閉位置と開位置に存在する上方移動式フラップ扉を備えた家具を図示する。
【図１ｂ】図１ａと図１ｂは、それぞれ閉位置と開位置に存在する上方移動式フラップ扉を備えた家具を図示する。
【図２】図２は、予め最大にバネに応力が付勢されている作動用駆動装置の断面を図示する。
【図３】図３は、予め最少にバネに応力が付勢されている作動用駆動装置の断面を図示する。
【図４】図４は、作動用駆動装置の分解図である。
【図５ａ】図５ａから図５ｃは、それぞれ作動用駆動装置の斜視図および２つの異なる細部の斜視図である。
【図５ｂ】図５ａから図５ｃは、それぞれ作動用駆動装置の斜視図および２つの異なる細部の斜視図である。
【図５ｃ】図５ａから図５ｃは、それぞれ作動用駆動装置の斜視図および２つの異なる細部の斜視図である。
【発明を実施するための形態】
【００１６】
図１ａは、家具筐体２と、家具筐体２に対して上方に可動に取り付けられたフラップ扉４の形態の可動家具部３とを有した家具１の斜視図を示す。図１ｂは、開位置にあるフラップ扉４を有した家具１を図示しており、フラップ扉４は家具筐体２のキャビネット天板２３に対し、ヒンジ（蝶番）２２を介して旋回可能に取り付けられている。フラップ扉４を動かすため、取り付け軸２１にて家具筐体２に対して旋回可能に支持されているハウジング６を有した作動用駆動装置５が提供されている。作動用駆動装置５は、図示されている実施例においては、取り付け位置にて水平に延びる回転軸の周囲で旋回するように取り付けられている作動アーム９の形態である、可動に取り付けられた作動部材７をさらに含んでいる。フラップ扉４は、垂直な閉位置（図１ａ）と、家具筐体２に対するアクセスを提供している上方に旋回した開位置（図１ｂ）との間で作動用駆動装置５によって動作できるように取り付けられている。旋回可能に取り付けられた作動アーム９は軸２４を介してフラップ扉４に接続されている。
【００１７】
図２は作動用駆動装置５の断面を示す。そこでは作動アーム９の形態である作動部材７は、取り付け位置にて水平に延びる回転軸１０の周囲を旋回するように取り付けられている。作動アーム９の自由端は軸２４を介してフラップ扉４にヒンジ的に接続されている。作動用駆動装置５は、家具筐体２に固定され、バネ装置１１を収容するハウジング６を含む。図示の実施例においては、バネ装置１１は圧縮バネの形態である少なくとも１つのコイルバネを含むが、好適には平行に配置される２つ以上のコイルバネを含むことも可能である。バネ装置１１はネジナット１２の形態である支持手段に対してその一端で支持されており、バネ装置１１の他端はハウジング６に対して移動が可能に取り付けられているスライダ１８に当接支受されている。ネジナット１２は調節ネジ１６のネジ部１７に沿って可動に取り付けられている。圧力ローラ１９はスライダ１８に回転可能に取り付けられており、作動アーム９は、バネ装置１１によって加圧されている圧力ローラ１９に沿って走行させる制御カム２０を介して旋回が可能である。
【００１８】
図においては、制御カム２０は作動アーム９上に配置または形成されており、制御カム２０は作動アーム９の回転軸１０に対して可変である放射状空間を形成する。制御カム２０は、作動アーム９が閉方向移動の終了側に向かって完全に閉じた位置にまで付勢されるように設計されている。作動アーム９の開方向移動において、圧力ローラ１９は制御カム２０の最高点（ａｐｅｘ  ｐｏｉｎｔ）を越えて移動するが、この場合には作動アーム９はバネ装置１１の力によって開位置の方向に付勢される。緩衝装置（ここでは非図示）、特に流体緩衝装置も閉方向移動、及び／又は、開方向移動の緩衝のために利用できる。作動アーム９に作用するバネ装置１１の力は調節装置１３を介して調節できる。調節装置１３は工具のための受領手段１５を備えた調節ホイール１４を含み、調節ホイール１４は、好適にはベベルギア（ｂｅｖｅｌ  ｇｅａｒ）伝達装置である伝達機構を介して調節ネジ１６の頭部と協調する。調節ネジ１６は、工具によって操作される調節ホイール１４の回転移動によって回転でき、ネジナット１２はネジ部１７に沿って移動する。あるいは、調節ホイール１４は手動により作動するように設計することもできる。図においては、ネジナット１２はバネ装置１１が最大にプレストレスされている位置に存在する。すなわち、作動アーム９に作用するバネ力は最大である。図には、ネジナット１２を調節ネジ１６の少なくとも１つの端領域にて、その端領域から離れる方向の力によって作用することができるバネ要素２６が図示されている。図示の実施例において、バネ要素２６は、弓形状にプレストレスされた板バネの形態であり、ネジナット１２が調節ネジ１６の頭部の下側に隣接して配置されたとき、調節ネジ１６の長手方向に作用する力で調節ネジ１６の頭部から離れるようにネジナット１２を付勢するものである。調節ネジ１６は無ネジ部２５も有しており、その機能は次の図に関して説明されている。
【００１９】
図３は図２で図示するような作動用駆動装置５を図示しているが、ここではネジナット１２はバネ装置１１が最小程度にプレストレスされている位置に存在する。すなわち、作動アーム９に作用するバネ力は最少である。バネ装置１１の力を調節する際に、ネジナット１２と調節ネジ１６の頭部との間のジャミング現象を防止するため、調節ネジ１６には、ネジナット１２を調節ネジ１６のネジ部１７との係合状態から外すことができる無ネジ部２５が提供されている。ネジナット１２とネジ部１７との間のネジ係合はこのように解除が可能であり、調節ネジ１６は調節ホイール１４の回転によって係合することなく回転する。このことは、バネ力の最低限の調節においてネジナット１２が調節ネジ１６の頭部とジャミング現象を発生させることはないという利点を提供する。さらに、その端位置はクリック音（ｃｌｉｃｋｉｎｇ  ｎｏｉｓｅ）によってユーザに対して音響的に通告することが可能である。ネジナット１２が、反対側（向かい側）の方向の調節ホイール１４の回転によって調節ネジ１６のネジ部１７と再係合するために、バネ要素２６は、ネジナット１２と調節ネジ１６の頭部の下側との間で作用でき、バネ要素２６はネジナット１２を上方に付勢し、よって、ネジナット１２は調節ネジ１６のネジ部１７とロッキング形態で再び係合することができる。この場合には、バネ要素２６の力は、バネ装置１１によってネジナット１２に対して作用する力を克服するように設計されている。このように、ネジナット１２は、バネ要素２６の力によって調節ネジ１６のネジ部１７に対して押圧され、および、該ネジナット１２は、バネ装置１１の十分に強力な保持力に対抗して押圧される。
【００２０】
図４は作動用駆動装置５の分解図である。旋回可能な作動アーム９の形態である作動部材７は、一方側で軸２４にてフラップ扉４に接続され、他方側で作動アーム９は回転軸（ヒンジピン２８）の周囲で旋回可能に筐体側部に取り付けられる。作動アーム９の両側にてそれら部材は制御カム２０を形成するように取り付けられる。取り付け位置にて、ヒンジピン２７に回転可能に取り付けられた圧力ローラ１９は、作動アーム９の制御カム２０に沿って走行する。圧力ローラ１９は、バネ装置１１によって加圧され、管状部３５内での直線移動が可能であるよう取り付けられているスライダ１８上に配置されている。バネ装置１１は調節ネジ１６のネジ部１７上で移動可能に取り付けられているネジナット１２に対して支持されている。調節ネジ１６は、少なくとも１つのバネ要素２６を支持することができるアバットメント面３７を有する。図示の実施例では、バネ要素２６は弓形状にプレストレスされている板バネの形態である。ネジ部１７とアバットメント面３７との間には、ネジナット１２と調節ネジ１６のアバットメント面３７との直接的な接触を防止する無ネジ部２５が存在する。調節ネジ１６は調節ホイール１４の受領手段１５に工具を配置して回転させることで回転が可能である。２つのハウジング部６ａと６ｂを含むハウジング６は取り付け部２９と保持ボルト３２を介して固定される。上蓋は、回転軸１０を形成するヒンジピン２８にスナップ式に取り付け（ｓｎａｐ−ｆｉｔｔｅｄ）が可能なカバーキャップ３０によって形成されている。特殊な特徴として、作動アーム９に作用するバネ装置１１の力を表示できる表示装置３８にも言及できる。この表示装置３８はネジナット１２に可動に連結するガイド部３６ａと３６ｂを含む。少なくとも１つのガイド部３６には管状部３５内でスロット３３に係合する突起３４が提供される。よって調節ネジ１６の移動で、ガイド部３６の突起３４もそれと共に移動する。この場合には、突起３４の位置は管状部３５内のスロット３３に対して変化する。突起３４とスロット３３の間の相対位置は、バネ装置１１の予め設定されている力に関してユーザが認知するための目印である。補助的特徴として、管状部３５にはユーザにバネの予荷重（ｐｒｅｌｏａｄ）のそれぞれの値を読み取らせる目盛りも提供できる。
【００２１】
図５ａは作動用駆動装置５の斜視図であり、図を明確に示すため、図４で示す（移動スライド１８を収容する）管状部３５および２つのハウジング部６ａと６ｂを備えたハウジング６は図示されていない。圧力ローラ１９はバネ装置１１の力により作動アーム９の制御カム２０に当接支受される。この点で、作動アーム９に作用するバネ力は調節装置１３によって調節できる。突起部３４を備えたガイド部３６ａと３６ｂはロッキング形態でネジナット１２に接続されている。調節ネジ１６の頭部とネジナット１２との間で作用するバネ要素２６も図示されている。
【００２２】
図５ｂは作動用駆動装置５の下方領域の拡大図である。調節ネジ１６および、それと共に、ネジナット１２の位置は調節ホイール１４の回転によって調節できる。
【００２３】
図５ｃは作動用駆動装置５の下方から見た図であり、調節ホイール１４は協働歯部を介して調節ネジ１６に接続されている。調節ホイール１４は回転軸の周囲で回転可能に取り付けられており、調節ホイール１４の回転軸の方向は、調節ネジ１６の長手軸に対して横断方向に、好適には略直角方向に広がっている。力の偏差は調節ホイール１４の調節のためのドライバがフィットして横方向に回転できるという利点、すなわち家具筐体２の側壁に略垂直な取り付け位置にフィットして回転できるという利点を有し、結果として、バネ装置１１のプレストレスの力（ｐｒｅｓｔｒｅｓｓｉｎｇ  ｆｏｒｃｅ）を、とりわけ便利に、容易にアクセスが可能であるよう、スムーズに調節することが可能となる。
【図１ａ】
2016507017.tif 000003
【図１ｂ】
2016507017.tif 000004
【図２】
2016507017.tif 000005
【図３】
2016507017.tif 000006
【図４】
2016507017.tif 000007
【図５ａ】
2016507017.tif 000008
【図５ｂ】
2016507017.tif 000009
【図５ｃ】
2016507017.tif 000010
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
可動家具部（３）を移動させるための作動用駆動装置（５）であって、
可動家具部（３）を移動させるために可動に取り付けられた少なくとも１つの作動部材（７）と、
該作動部材（７）に力を作用させるためのバネ装置（１１）と、
該作動部材（７）に作用する前記バネ装置（１１）の力の調節を可能にする調節装置（１３）と、
を含んでおり、
前記調節装置（１３）は、ネジ部（１７）を備える調節ネジ（１６）を有しており、前記作動部材（７）に作用する前記バネ装置（１１）の力は、前記ネジ部（１７）に沿って移動可能に取り付けられたネジナット（１２）によって調節が可能であり、
前記バネ装置（１１）とは別に少なくとも１つのバネ要素（２６）が利用されており、それによって、前記調節ネジ（１６）の少なくとも１つの端領域で前記ネジナット（１２）に該端領域から離れる方向の力を作用させることができることを特徴とする作動用駆動装置。
【請求項２】
前記調節ネジ（１６）の前記少なくとも１つの端領域には、前記バネ要素（２６）を支持することができるアバットメント面（３７）が提供されていることを特徴とする、請求項１記載の作動用駆動装置。
【請求項３】
前記アバットメント面（３７）は前記調節ネジ（１６）のネジ頭部によって形成されていることを特徴とする、請求項２記載の作動用駆動装置。
【請求項４】
前記バネ要素（２６）は前記ネジナット（１２）とは分離した構成部材の形態であることを特徴とする、請求項１から３のいずれかに記載の作動用駆動装置。
【請求項５】
少なくとも１つの端領域で前記調節ネジ（１６）は無ネジ部（２５）を有しており、前記ネジナット（１２）は該無ネジ部（２５）内に進入することができ、前記調節ネジ（１６）の前記ネジ部（１７）との係合状態から脱却できることを特徴とする、請求項１から４のいずれかに記載の作動用駆動装置。
【請求項６】
前記バネ要素（２６）は、好適には弓形状にプレストレスされている板バネの形態であることを特徴とする、請求項１から５のいずれかに記載の作動用駆動装置。
【請求項７】
前記作動部材（７）に作用する前記バネ装置（１１）は前記ネジナット（１２）に当接支受されることを特徴とする、請求項１から６のいずれかに記載の作動用駆動装置。
【請求項８】
前記作動部材（７）に作用する前記バネ装置（１１）は少なくとも１つのコイルバネを有していることを特徴とする、請求項１から７のいずれかに記載の作動用駆動装置。
【請求項９】
前記作動部材（７）は回転軸（１０）の周囲で旋回的に取り付けられた作動アーム（９）の形態であることを特徴とする、請求項１から８のいずれかに記載の作動用駆動装置。
【請求項１０】
前記作動アーム（９）は、前記バネ装置（１１）によって加圧される圧力ローラ（１９）が沿って走行する制御カム（２０）を介して旋回できることを特徴とする、請求項９記載の作動用駆動装置。
【請求項１１】
前記制御カム（２０）は前記作動アーム（９）上に配置あるいは形成され、該制御カム（２０）は該作動アーム（９）の回転軸（１０）に対して変動する放射状空間を提供することを特徴とする、請求項１０記載の作動用駆動装置。
【請求項１２】
工具のための受領手段（１５）を備えた調節ホイール（１４）が利用され、該調節ホイール（１４）は伝達機構を介して前記調節ネジ（１６）と共働し、該調節ネジ（１６）は前記工具によって実行される該調節ホイール（１４）の回転移動によって回転可能であることを特徴とする、請求項１から１１のいずれかに記載の作動用駆動装置。
【請求項１３】
前記調節ホイール（１４）は回転軸の周囲で回転的に取り付けられており、該調節ホイール（１４）の該回転軸の方向は前記調節ネジ（１６）の長手軸に対して横断的に、好適には略直角に延伸していることを特徴とする、請求項１２記載の作動用駆動装置。
【請求項１４】
本作動用駆動装置（５）は家具筐体（２）に固定されるハウジング（６）を有しており、使用位置で前記作動部材（７）は一方側で該家具筐体（２）に旋回的に接続され、他方側で前記可動家具部（３）に接続されていることを特徴とする、請求項１から１３のいずれかに記載の作動用駆動装置。
【請求項１５】
家具筐体（２）と、該家具筐体（２）に対して可動であるフラップ扉（４）とを有した家具（１）であって、前記フラップ扉（４）は、請求項１から１４のいずれかに記載の作動用駆動装置（５）により可動に取り付けられていることを特徴とする家具。
【国際調査報告】
2016507017.tif 000011
2016507017.tif 000012
2016507017.tif 000013
2016507017.tif 000014